(57)【要約】【課題】本発明は、使用者が、ペットの糞を回収、廃棄する際、回収器具の蓋等の糞が接する部分に直接手を触れることなく、開閉作業を容易に行うことができ、且つ、容器本体に蓋を嵌めると、容器本体が密閉されて、糞臭の漏れを防ぐことができるペット糞回収器を提供する。【解決手段】支柱管１１と、一端が蓋５に連結され、他端にレバー２１を設け、該支柱管１１内を摺動可能に挿通された中軸２と、前記支柱管１１の一端に設けられた連結枠３と、該連結枠３に回転可能に設けられ、上部が開口された容器本体４と、前記中軸２を容器本体４の方向へ付勢する付勢手段とからなり、その付勢手段として、前記蓋５と前記連結枠３の間にスプリング６を設ける。【選択図】　図１
2004024193.tif 000002
【特許請求の範囲】
【請求項１】
支柱管と、該支柱管内に摺動可能に挿通されると共に、一端が容器本体の蓋に連結され、他端が支柱管外部のレバーに連結された中軸と、前記支柱管に連結された連結枠と、該連結枠に回転可能に設けられ、上部が開口された容器本体と、前記中軸を容器本体の方向へ付勢する付勢手段とからなることを特徴とするペット糞回収器。
【請求項２】
付勢手段が、前記蓋と前記連結枠の間に設けられたスプリングであることを特徴とする請求項１記載のペット糞回収器。
【請求項３】
付勢手段が、一端が支柱管外部に固定され、他端が前記レバーに連結されたゴム紐であることを特徴とする請求項１記載のペット糞回収器。
【発明の詳細な説明】
【０００１】
【産業上の利用分野】
本発明は、ペットの糞を回収する用具に関し、特に、散歩時に携帯して使用するペット糞回収器に関するものである。
【０００２】
【従来技術】
これまで、散歩時に犬や猫等のペットの糞を処理する手段として種々の商品が開発されており、特に最近では、紙製の処理容器等が多く使用されている。しかし、それらの容器は、一回使用するたびに廃棄せざるを得ない。そこで、容器を使い捨てしない用具として、例えば、動物の糞取り具（特開２００２−８４９１７号公報所載）がある。この糞取り具は、糞取り具の本体となる矩形の糞収容部の一側面に、下辺で連結された開閉自在な糞回収板が設置されており、糞収容部の下面には廃棄口が設けられ、観音開き状の扉が設置されている。この糞取り具本体は、ペットが糞をする際に、使用者が、収容部上面に設けられた糞回収板の係止手段を手で解除して回収板を開き、また、収容された糞を廃棄する際には、使用者が廃棄口に設けられた扉の係止手段を手で解除して糞廃棄口の扉を開くようにされている。
【０００３】
【発明が解決しようとする課題】
しかしながら、上記の器具では、糞回収板や、糞廃棄口を開閉する際に、使用者が蓋となる部分に直接手を触れなくてはならない。このため、使用者の手を汚す恐れがあり、また、糞を回収して糞回収板や廃棄口を閉じても、糞取り具本体を密閉する手段が設けられていないために、糞臭が漏れるという問題点があった。
本発明は、上記の問題点に鑑み、使用者がペットの糞を回収、廃棄する際に、回収器具の蓋等の糞が接する部分に直接手を触れることなく開閉作業を容易に行うことができ、且つ、容器本体に蓋を嵌めると、常に容器本体が密閉されて、糞臭の漏れを防ぐことができるペット糞回収器を提供することを目的とする。
【０００４】
【課題を解決するための手段】
本発明は、支柱管と、該支柱管内に摺動可能に挿通されると共に、一端が容器本体の蓋に連結され、他端が支柱管外部のレバーに連結された中軸と、前記支柱管に連結された連結枠と、該連結枠に回転可能に設けられ、上部が開口された容器本体と、前記中軸を容器本体の方向へ付勢する付勢手段とからなることを第１の特徴とし、前記付勢手段が、前記蓋と前記連結枠の間に設けられたスプリングであることを第２の特徴とし、また、他の実施例として前記付勢手段が、一端が支柱管外部に固定され、他端が前記レバーに連結されたゴム紐であることを第３の特徴とする。
【０００５】
【発明の実施の形態】
以下、本発明の実施の形態を図面に示す実施例に基づいて説明する。図１は本発明に係るペット糞回収器を示す斜視図、図２は本発明に係るペット糞回収器の連結枠を示す一部切欠斜視図、図３は本発明に係るペット糞回収器を示す部分略要部断面図、図４は本発明に係るペット糞回収器を示す使用斜視図、図５は本発明に係るペット糞回収器の他の実施例を示す斜視図である。
【０００６】
【実施例】
図１に示すように、本発明に係るペット糞回収器は、支柱管１１と、その下端に設けられた略コ字形の連結枠３と、該連結枠３の両先端で連設された容器本体４と、該容器本体４に係着可能にされた蓋５と、該蓋５に一端が連結され、前記支柱管１１内に挿通されて摺動可能に設けられた中軸２と、該中軸２の他端に、支柱管１１の外部から引き金状に連結されたレバー２１と、中軸２が挿通され、連結枠３と前記蓋５との間に設けられた、付勢手段としてのスプリング６とで構成されている。
【０００７】
図１に示すように、本発明に係るペット糞回収器の把持部１は、パイプ状の支柱管１１と、該支柱管１１の上端に設けられた略へ字形のグリップ１３からなっている。このグリップ１３は一端が固定されており、グリップ１３の他端が向けられた側（図１においては右側）の支柱管１１上部には、支柱１１の長手方向に沿って長溝状のガイド孔１２が設けられている。
【０００８】
図１に示すように、前記支柱管１１の下端は、前記連結枠３が設けられている。図２に示すように、連結枠３の上部には支柱管１１の径に適合し、支柱管１１が嵌合する支柱固定枠３１が設けられ、その下部にはスプリング６の径に適合するスプリング止め３２が設けられており、その内部は、前記中軸２が挿通されて自由に摺動することのできる摺動孔３３が設けられている。そして、この連結枠３の両脇からは二本のアーム３４が突出し、垂直に折り曲げられたアーム３４の先端部には軸ピン孔３５が設けられている。尚、この連結枠３は一体成形されている。
【０００９】
本発明にかかる容器本体４は筒状の形態をしており、底部が閉じられ、上部のみが開口している。該容器本体４は、その側部に軸ピン４１が設けられ、前記アーム３４の先端に設けられた軸ピン孔３５に嵌合させることにより、軸ピン４１を軸に回転可能である。また、前記軸ピン４１の上部前方にはストッパー４２が、使用者側への回転（図１において、容器本体４の右側への回転）を阻止するため、アーム３４と係合するように設けられている。そして、容器開口部４３外面には、環状のリブ４４が設けられている。
【００１０】
図３に示すように、前記容器本体４には蓋５が係着できるようにされており、蓋５を容器開口部４３に嵌ると、前記リブ４４が蓋５の内部に密着するよう設けられている。前記蓋５の上面中央には、中軸２の一端が連結され、他端は前記支柱管１１内に挿通されて、支柱管１１外部から前記ガイド孔１２を通して、この中軸２に直接ネジ止めされたレバー２１が連結されている。該レバー２１を上下に往復させると、中軸２も支柱管１１内を摺動するため、容器本体４に蓋５を嵌めたり、外したりすることが可能である。
【００１１】
図３に示すように、本発明に係るペット糞回収器は、容器本体４に蓋５を嵌めた際、常に容器本体４の密閉状態を保つためにスプリング６が設けられている。該スプリング６には、前記中軸２が挿通され、前記連結枠３のスプリング止め３２と、前記蓋５に形成されたスプリング止め５１の間で係止されている。これにより、前記レバー２１を引くと、蓋５が上昇して容器本体４からはずれ、レバー２１を離すと、その弾性でスプリング６が伸長し、蓋５が容器本体４を押圧するように設けられている。
【００１２】
次に、本発明に係るペット糞回収器の作動について説明する。使用者がグリップ１３を握り、レバー２１を引いて蓋５を容器本体４から外すと、容器本体４は回転可能になり、容器本体４を支柱管１１と交差する方向へ向けることができる。ここで、レバー２１を離すと、スプリング６の伸長によって蓋５が容器本体４の背面を押圧するため、容器本体４を固定することができる。この状態で、容器本体４の容器開口部４３からペット糞を回収する。次いで、回収作業が終了した後は、再びレバー２１を引いて容器本体４を回転させ、容器開口部４３が上方を向いたらレバー２１を離して蓋５を被せる。この時、スプリング６の弾性により、蓋５が容器開口部４３に強固に押圧されて容器本体４は密閉状態になり、更に、容器開口部４３に設けられたリブ４４が蓋５と密着して、糞臭の漏れを二重に防ぐようにされている。
【００１３】
尚、上記実施例では付勢手段となるスプリング６を、連結枠３と蓋５の間で挟持して設けているが、付勢手段はこれに限定されるものではなく、例えば、図５に示すように、支柱管１１外部に固定された連結環１４にゴム紐７の一端を連結し、前記中軸２に連結されたレバー２１にゴム紐７の他端をテンションをかけて固定し、ゴム紐７の縮力で中軸２を容器本体４の方へ付勢させるようにしてもよい。
【００１４】
本発明に係るペット糞回集器の容器本体４と、蓋５の形は円筒形に限定されず、多角柱に製造することもできる。また、それらを形成する素材は、吸水性や通気性がなく、変形に強い素材が好ましい。例えば、ポリエチレンテレフタレート等で製造すると、水洗いすることができるため衛生的であり、何度でも使用することができる。
【００１５】
【発明の効果】
本発明は、上記のように構成したので、次のような優れた効果がある。
（１）一端が蓋に連結され、他端が支柱外部のレバーに連結された中軸を、支柱管内を摺動可能に設けたことで、使用者はペットの糞を回収、廃棄する際、糞が接する回収器の蓋に直接手を触れることなく、開閉作業を容易に行うことができる。
（２）中軸を容器本体の方向へ付勢する手段を設けたため、容器本体に蓋を嵌めると、常に蓋が強固に容器本体を押圧して容器本体を密閉し、糞臭の漏れを防ぐことができる。
【図面の簡単な説明】
【図１】本発明に係るペット糞回収器を示す斜視図である。
【図２】本発明に係るペット糞回収器の連結枠を示す一部切欠斜視図である。
【図３】本発明に係るペット糞回収器を示す部分略要部断面図である。
【図４】本発明に係るペット糞回収器を示す使用図である。
【図５】本発明に係るペット糞回収器の他の実施例を示す斜視図である。
【符号の説明】
１　　　　把持部
１１　　　支柱
１２　　　ガイド孔
１３　　　グリップ
１４　　　連結環
２　　　　中軸
２１　　　レバー
３　　　　連結枠
３１　　　支柱固定枠
３２　　　スプリング止め
３３　　　摺動孔
３４　　　アーム
３５　　　軸ピン孔
４　　　　容器本体
４１　　　軸ピン
４２　　　ストッパー
４３　　　容器開口部
４４　　　リブ
５　　　　蓋
５１　　　スプリング止め
６　　　　スプリング
７　　　　ゴム紐
【図１】
2004024193.tif 000003
【図２】
2004024193.tif 000004
【図３】
2004024193.tif 000005
【図４】
2004024193.tif 000006
【図５】
2004024193.tif 000007